【手続補正書】
【提出日】平成16年1月22日(2004.1.22)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
前側面（６０）、頂部隣接側面（６１）、底部隣接側面（６２）および背面、および２つの端面（６４、６５）を備える細長いほぼ矩形の本体（１２）と、
それぞれがブローリード／ブローエネブラリードセル（４７）、バルブセル（４９）、およびドローリード／ドローエネブラリードセル（４８）から成る三部構成のボイスチャネルをその間に画定する複数のほぼ平行なセル壁（３７、６６、６７）と、
前記本体（１２）の前側面の中央の長手方向軸に沿って長手方向に離隔された複数のバルブセル（４９）であって、該バルブセル（４９）が前記セル壁（３７，６６，６７）によって分離され、前記バルブル（４９）が、前記本体（１２）の前側面のほうへ開くと共に前記本体（１２）の背面で閉じており、前記バルブセル（４９）が、前記ブローリード／ブローエネブラリードセル（４７）と前記ドローリード／ドローエネブラリードセル（４８）との間に配置され、前記バルブセル（４９）がアセンブリされたハーモニカのリードプレート（１８、２０）とは隣接していない複数のバルブセル（４９）と、
前記頂部隣接側面に沿って長手方向に離隔された、複数の別個のブローリード／ブローエネブラリードセル（４７）であって、該ブローリード／ブローエネブラリードセル（４７）が前記セル壁（３７、６６、６７）によって分離され、前記ブローリード／ブローエネブラリードセル（４７）が前記バルブセル（４９）と位置合わせされ、前記ブローリード／ブローエネブラリードセル（４７）の底部がブローバルブプラットホーム（３９）を備え、前記ブローバルブプラットホーム（３９）がまた、前記バルブセル（４９）の天井を備える、複数のブローリード／ブローエネブラリードセル（４７）と、
前記底部隣接側面に沿って長手方向に離隔された、複数の別個のドローリード／ドローエネブラリードセル（４８）であって、該ドローリード／ドローエネブラリードセル（４８）が前記セル壁（３７、６６、６７）によって分離され、前記ドローリード／ドローエネブラリードセル（４８）が前記バルブセル（４９）と整列され、前記ドローリード／ドローエネブラリードセル（４８）の頂部が、ドローバルブプラットホーム（４０）を備え、該ドローバルブプラットホーム（４０）が、前記バルブセル（４９）の床部をまた備える、複数のドローリード／ドローエネブラリードセル（４８）と、
前記バルブセル（４９）のそれぞれの前記天井に形成され、前記バルブセル（４９）のそれぞれと前記ブローリード／ブローエネブラリードセル（４７）のそれぞれとの間に開いた通路を形成している、ブローリード／ブローエネブラリードバルブスロット（２３’）と、
前記バルブセル（４９）のそれぞれの前記床に形成され、前記バルブセル（４９）のそれぞれと前記ドローリード／ドローエネブラリードセル（４８）のそれぞれとの間に開いた通路を形成しているドローリード／ドローエネブラリードバルブスロット（２５’）と、
前記ブローリード／ブローエネブラリードセル（４７）のそれぞれの中に配置され、前記ブローリード／ブローエネブラリードバルブスロット（２３’）を覆って位置調整されたブローリード／ブローエネブラリードバルブ（１９’）であって、前記ブローリード／ブローエネブラリードバルブ（４７）が、前記ブローバルブプラットホーム（３９）の一方の端部に固定され、前記ブローリード／ブローエネブラリードバルブ（１９’）がその反対側の端部で移動が自由である、ブローリード／ブローエネブラリードバルブ（１９’）と、
前記バルブセル（４９）のそれぞれの中に配置されると共に、ドローリード／ドローエネブラリードバルブスロット（２５’）を覆って位置調整され、前記バルブセル（４９）の前記床の一方の端部に固定され、前記ドローリード／ドローエネブラリードバルブ（２１’）がその反対側の端部で移動が自由である、ドローリード／ドローエネブラリードバルブ（２１’）とを備えることを特徴とする、ハーモニカコーム。
【請求項２】
前記細長い本体（１２）が、通常木で製造されている、またはプラスチックで成形されていることを特徴とする、請求項１に記載のハーモニカコーム。
【請求項３】
前記本体（１２）が、半体（１０，１１）を気密嵌合のためにねじで互いに固定することができるような、特定の弾性を有するプラスチックで製造された頂部半体（１０）および底部半体（１１）を有することを特徴とする、請求項２に記載のハーモニカコーム。
【請求項４】
前記本体（１２）が、接着剤で互いに固定された頂部半体（１０）と底部半体（１１）とを有することを特徴とする、請求項２に記載のハーモニカコーム。
【請求項５】
前記ブローリード／ブローエネブラリードバルブ（１９’）および前記ドローリード／ドローエネブラリードバルブ（２１’）が、通常ＰＶＣなどのプラスチックで製造されていることを特徴とする、請求項１乃至４のうちいずれか一項に記載のハーモニカコーム。
【請求項６】
前記前側面（６０）の高さが、前記背面の高さよりも低く、前記前側面（６０）を演奏者の口により快適に嵌合することを可能にすることを特徴とする、請求項１乃至５のうちいずれか一項に記載のハーモニカコーム。
【請求項７】
前記ブローリード／ブローエネブラリードセル（４７）の開端部を閉じる、前記頂部隣接側面（６１）に固定されたブロープレートと、前記ドローリード／ドローエネブラリードセル（４８）の開端部を閉じる、前記底部隣接側面（６２）に固定されたドロープレートと、前記ブロープレートに固定された頂部カバーと、前記ドロープレートに固定された底部カバーと、前記ハーモニカコームの前側面（６０）に固定されたマウスピースとを備える、請求項１のハーモニカコームを使用して作成されたことを特徴とする、ハーモニカ。
【請求項８】
前記ブロープレートが、ブローリード（１８）、ブローリード（１８）とブローエネブラリード、または２つのブローリード（１８）を含むことを特徴とする、請求項７に記載のハーモニカ。
【請求項９】
前記ドロープレートが、ドローリード（２０）、ドローリード（２０）とドローエネブラリード、または２つのドローリード（２０）を含むことを特徴とする請求項７または８に記載のハーモニカ。
【請求項１０】
バルブセル（４９）の頂部半体を形成する前記頂部半体（１０）の底部側面上の複数の上側チャネルと、前記頂部半体（１０）の頂部側面（６１）上の複数のドローリード／ドローエネブラリードセル（４７）とを備えるコームの頂部半体（１０）を成形するステップであって、前記上側チャネルが、前記頂部半体（１０）の前部側面（６０）のほうへ開いており、前記頂部半体（１０）の背面（６３）で閉じており、前記上側チャネルおよび前記セル（４７、４９）が、前記頂部半体（１０）に沿って長手方向に離隔され、前記上側チャネルのそれぞれが前記セル（４７、４９）のうちの１つと整列され、前記セルの底部および前記上側チャネルの頂部が、したがって共通の壁面を共有し、前記共通の壁面が、その中に形成された開口またはブローリード／ブローエネブラリードスロット（２３’）を備えるステップと、
逆止め弁またはブローリード／ブローエネブラリードバルブ（１９’）を、一方の端部で前記共通の壁面内の前記ブローリード／ブローエネブラリードスロット（２３’）を覆って位置調整された前記セル（４７）のそれぞれの前記共通の壁面に固定するステップと、
バルブセル（４９）の頂部半体を形成する前記底部半体（１１）の頂部側面上の複数の下側チャネルと、前記底部半体（１１）の底部側面上の複数のドローリード／ドローエネブラリードセル（４８）とを備えるコームの底部半体（１１）を成形するステップであって、前記下側チャネルが、前記底部半体（１１）の前部側面（６０）のほうへ開いており、前記底部半体の背面（６３）で閉じており、前記下側チャネルおよび前記セルが、前記底部半体（１１）に沿って長手方向に離隔され、前記下側チャネルのそれぞれが、前記セルの一方と整列しており、したがって、前記セルの頂部および前記下側チャネルの底部が共通の壁面を共有し、前記共通の壁面が、その中に形成された開口またはドローリード／ドローエネブラリードスロット（２５’）を備えるステップと、
逆止め弁またはドローリード／ドローエネブラリードバルブ（２１’）を一方の端部で前記下側チャネルのそれぞれの中の前記共通の壁面に固定し、前記下側チャネルのそれぞれの中の前記ドローリード／ドローエネブラリードバルブ（２１’）が、前記下側チャネル内の前記ドローリード／ドローエネブラリードスロット（２５’）内に配置されるステップと、
前記頂部半体（１０）および前記底部半体（１１）をともに前記頂部半体（１０）の前記上側チャネルおよび前記底部半体（１１）の前記下側チャネルと整列させて気密な接続で固定するステップとを含むことを特徴とする、請求項１に記載のハーモニカコームを製造する方法。